(57)【要約】【課題】操作する手順を省略して煩雑さをなくし、操作性を良好とした内視鏡洗滌消毒装置を実現する。【解決手段】内視鏡洗滌消毒装置１は、内視鏡を収納配置する洗滌消毒槽と、この洗滌消毒槽に対して開閉可能に設け、洗滌消毒槽を覆うトップカバーと、このトップカバーの開閉を検知するリミットセンサ４２，４３と、洗滌消毒槽２０の所定位置に内視鏡１０が収納配置されたことを検知する内視鏡検知センサ４１と、リミットセンサ４２，４３及び内視鏡検知センサ４１の動作を有効化するオートスタートスイッチと、を備えて構成されている。内視鏡洗滌消毒装置１は、オートスタートスイッチによって動作するリミットセンサ４２，４３及び内視鏡検知センサ４１の検知結果に基づき、内視鏡が洗滌消毒槽の所定位置に収納配置されてトップカバーが閉じられたとき、洗滌消毒を開始する。【選択図】図５
2006230492.tif 000002
【特許請求の範囲】
【請求項１】
内視鏡を収納配置する槽部と、
前記槽部に対して開閉可能に設け、前記槽部を覆う蓋部と、
前記蓋部の開閉を検知する開閉検知手段と、
前記槽部の所定位置に前記内視鏡が収納配置されたことを検知する内視鏡検知手段と、
前記開閉検知手段及び前記内視鏡検知手段の動作を有効化する有効化手段と、
を備え、前記有効化手段によって動作する前記開閉検知手段及び前記内視鏡検知手段の検知結果に基づき、前記内視鏡が前記槽部の所定位置に収納配置されて前記蓋部が閉じられたとき、洗滌消毒を開始することを特徴とする内視鏡洗滌消毒装置。
【請求項２】
前記内視鏡検知手段の検知結果に基づき、前記内視鏡が前記槽部の所定位置に収納配置されていないときその旨を告知する告知手段を設けたことを特徴とする請求項１に記載の内視鏡洗滌消毒装置。
【発明の詳細な説明】
【技術分野】
【０００１】
本発明は、内視鏡を洗滌消毒する内視鏡洗滌消毒装置に関する。
【背景技術】
【０００２】
近年、内視鏡は、医療分野等において広く用いられるようになった。医療用に用いられる内視鏡は、患者の体腔内の検査や治療の目的に使用される。  
このような医療用の内視鏡は、体腔内に挿入される挿入部の外表面だけでなく、送気送水チャンネル、副送水／鉗子起上用チャンネル等の内視鏡管路内にも汚物が付着する。そのため、使用済みの内視鏡は、外表面に限らず、必ず各管路内までも洗滌、消毒する必要がある。このため、例えば、特開２０００−１３９８１４号公報には、上記使用済みの内視鏡を洗滌消毒する内視鏡洗滌消毒装置が提案されている。
【特許文献１】特開２０００−１３９８１４号公報
【発明の開示】
【発明が解決しようとする課題】
【０００３】
上記公報に記載の内視鏡洗滌消毒装置は、使用済みの内視鏡を槽部に収納配置した後、各種操作スイッチの操作を行って洗滌消毒を開始するようになっている。  
一般に、内視鏡洗滌消毒装置は、洗滌液または消毒液が槽部から飛び散らないように蓋部を有している。そのため、従来の内視鏡洗滌消毒装置は、使用済みの内視鏡を槽部に収納配置するということ、その収納配置した後蓋部を閉めるということ、蓋部を閉めた後各種操作スイッチを操作するということの少なくとも３つの手順を行う必要がある。したがって、従来の内視鏡洗滌消毒装置は、洗滌消毒の度毎に一々スイッチ類を操作する必要があるので煩雑である。
【０００４】
本発明は、上述した点に鑑みてなされたもので、操作する手順を省略して煩雑さをなくし、操作性を良好とした内視鏡洗滌消毒装置を提供することを目的とする。
【課題を解決するための手段】
【０００５】
本発明の内視鏡洗滌消毒装置は、内視鏡を収納配置する槽部と、前記槽部に対して開閉可能に設け、前記槽部を覆う蓋部と、前記蓋部の開閉を検知する開閉検知手段と、前記槽部の所定位置に前記内視鏡が収納配置されたことを検知する内視鏡検知手段と、前記開閉検知手段及び前記内視鏡検知手段の動作を有効化する有効化手段と、を備え、前記有効化手段によって動作する前記開閉検知手段及び前記内視鏡検知手段の検知結果に基づき、前記内視鏡が前記槽部の所定位置に収納配置されて前記蓋部が閉じられたとき、洗滌消毒を開始することを特徴としている。
【発明の効果】
【０００６】
本発明の内視鏡洗滌消毒装置は、操作する手順を省略して煩雑さをなくし、操作性を良好として内視鏡を洗滌消毒することができる。
【発明を実施するための最良の形態】
【０００７】
以下、図面を参照して本発明の実施例を説明する。
【実施例１】
【０００８】
図１ないし図２４は本発明の実施例１に係り、図１は実施例１の内視鏡洗滌消毒装置の斜視図、図２は図１のトップカバーが開けられ、洗滌消毒槽に内視鏡が収納自在な状態である内視鏡洗滌消毒装置の斜視図、図３は図２の状態から内視鏡を洗滌消毒槽の所定位置に収納配置した際の装置本体の上面図、図４は２つ目のリミットセンサの構成を示す概略図、図５は内視鏡洗滌消毒装置の回路構成を示すブロック図、図６は図１のサブ操作パネルの構成例、図７は図１のメイン操作パネルの構成例、図８は図５のＣＰＵの制御を示すフローチャート、図９は洗滌消毒工程を示すフローチャート、図１０はカバーを取り外した水位センサの構成を示す斜視図、図１１は洗滌消毒工程における水位センサの出力値を示すグラフ、図１２はセンサ回路とＣＰＵとＩ／Ｏ回路と水位センサとの接続関係を示すブロック図、図１３はＣＰＵによる基準電圧信号の調整制御を示すフローチャート、図１４はプリンタ部の第１の印字例、図１５は操作部の構成例、図１６はプリンタ部の第２の印字例、図１７はＲＳ２３２Ｃケーブルを介して外部ＰＣと接続する内視鏡洗滌消毒装置を示す説明図、図１８は図１７の外部ＰＣの第１の表示画面例、図１９は図１８の表示状態から表示が切り替わった外部ＰＣの第２の表示画面例、図２０はＬＡＮケーブルを介して院内ネットワークと接続し、院内サーバと通信する内視鏡洗滌消毒装置を示す説明図、図２１は消毒液ボトルを収納するカセットトレーの収納室付近を示す説明図、図２２は図２１の要部拡大図、図２３はメモリの内部構成を示す概略図、図２４はＣＰＵによる課金情報の読み出し制御を示すフローチャートである。
【０００９】
図１に示すように内視鏡洗滌消毒装置１は装置本体２と、開閉自在に接続された蓋部であるトップカバー３とを有し、使用済みの内視鏡１０（図２参照）を収納配置して後述の洗滌消毒工程により前記内視鏡１０を洗滌消毒するように構成されている。  
前記装置本体２は、前記トップカバー３が閉じられるとこのトップカバー３がラッチ部４によりロックされて水密に密閉されるようになっている。
【００１０】
前記装置本体２の前面には、例えば左半部の上部に洗剤／アルコールトレー１１が配設されている。この洗剤／アルコールトレー１１には、前記内視鏡１０を洗滌するに際して用いる洗剤液が注入されたタンク１１ａ、及び洗滌消毒後の内視鏡１０を乾燥するに際して用いられるアルコールが注入されたタンク１１ｂが収納されている。前記洗剤／アルコールトレー１１は、引き出し自在に構成され、タンク１１ａ，１１ｂを交換して補充できるようになっている。なお、前記洗剤／アルコールトレー１１には窓部１１ｍが設けられており、この窓部１１ｍから各タンク１１ａ，１１ｂの残量を確認できるようになっている。
【００１１】
また、前記装置本体２の前面には、例えば右半部の上部にカセットトレー１２が配設されている。このカセットトレー１２には、前記内視鏡１０を消毒する際に用いる、例えば過酢酸等の消毒液が注入された消毒液ボトル１２ａが収納されている。前記カセットトレー１２は、引き出し自在に構成され、消毒液ボトル１２ａを交換して補充できるようになっている。  
なお、前記装置本体２の内部には、前記消毒液ボトル１２ａからの消毒液と後述の給水ホース接続口１５から供給される水道水との消毒混合液を貯留する消毒液貯留タンク（図２１参照）が設けられており、後述の循環口２４を介して給水排水して所定回数繰り返し使用するようになっている。
【００１２】
前記カセットトレー１２の上部には、洗滌消毒工程の詳細な設定が可能なサブ操作パネル１３が配設されている。このサブ操作パネル１３の詳細構成は、後述する。また、前記装置本体２の上面には、右側にメイン操作パネル１４が配設されている。このメイン操作パネル１４の詳細構成は、後述する。
【００１３】
また、装置本体２の上面には、奥側に給水ホース接続口１５が突設されている。この給水ホース接続口１５は、水道栓に接続されたホースが接続されるようになっている。なお、前記給水ホース接続口１５には、水道水を濾過するフィルタが内蔵されていてもよい。
【００１４】
また、前記装置本体２の前面下部には、前記トップカバー３を開けるためのペダルスイッチ１６が延設されている。このペダルスイッチ１６を踏み込むことにより、前記内視鏡洗滌消毒装置１は、前記ラッチ部４がロック解除されて前記装置本体２から前記トップカバー３が開放され、図２に示すようにトップカバー３が開くようになっている。
【００１５】
図２及び図３に示すように、前記装置本体２の前面には、前記ラッチ部４を構成しているラッチ受け部４ｂが設けられており、このラッチ受け部４ｂに前記トップカバー３のラッチ突部４ａが係合されることで、ラッチ部４がロックされるようになっている。  
また、前記装置本体２の上面には、略中央部に前記内視鏡１０を配置可能な空間を形成する槽部として洗滌消毒槽２０が設けられている。
【００１６】
この洗滌消毒槽２０は、前記内視鏡１０が収納配置される槽本体２１と、この槽本体２１の外周縁に連続して周設されたテラス部２２とにより構成されている。  
前記槽本体２１の底面２１ｔには、この槽本体２１に供給された洗滌液，水，消毒液等を槽本体２１から排水するための排水口２３が設けられている。
【００１７】
また、前記槽本体２１の周状側面２１ｓの所定位置には、この槽本体２１に供給された洗滌液，水，消毒液等を槽本体２１から内視鏡１０の内部に配設された各管路に供給する、またはフィルタ等を介して後述の給水循環ノズル２８から槽本体２１に再度上記液体を供給するための循環口２４が設けられている。なお、前記循環口２４には、洗滌液，水，消毒液等を濾過するフィルタが内蔵されていても良い。また、この循環口２４は、槽本体２１の底面２１ｔに設けられていてもよい。
【００１８】
前記槽本体２１の側面２１ｓの所定位置には、槽本体２１に供給された洗滌液，水，消毒液等の水位を検出するカバー付き水位センサ（以下、単に水位センサ）２５が突出している。  
また、前記テラス部２２は、前記底面２１ｔに対して所定角度傾斜した周状の面（以下、テラス面と称す）２２ｔを有して形成されている。なお、前記テラス部２２の傾きは、底面２１ｔに限らず、側面２１ｓを基準にしても良い。
【００１９】
前記テラス面２２ｔ以外の面、即ち槽本体２１の底面２１ｔと平行な面には、洗剤ノズル２６，消毒液ノズル２７及び給水循環ノズル２８が配設されている。  
前記洗剤ノズル２６は、図示しないポンプの動作により前記タンク１１ａから前記槽本体２１に洗剤液を供給するようになっている。前記消毒液ノズル２７は、図示しないポンプの動作により前記消毒液ボトル１２ａから前記槽本体２１に消毒液を供給するようになっている。前記給水循環ノズル２８は、図示しないポンプの動作により前記タンク１１ｂから前記槽本体２１にアルコールを供給するか、または槽本体２１の循環口２４から排出した洗滌液，水，消毒液等を、再度槽本体２１に供給するようになっている。  
なお、これら洗剤ノズル２６、消毒液ノズル２７及び給水循環ノズル２８は、テラス面２２ｔに配設されていても良い。
【００２０】
また、前記テラス面２２ｔの奥側面２２ｆには、図示しないチューブを介して前記内視鏡１０の内部管路に洗滌液，水，消毒液、またはエア等を供給するための送気送水／吸引用ポート２９ａと、副送水／鉗子起上用ポート２９ｂと、漏水検知用ポート２９ｃとが配設されている。  
送気送水／吸引用ポート２９ａは、槽本体２１に設けられた循環口２４と、図示しないポンプ等を介して接続されている。また、送気送水／吸引用ポート２９ａは、装置本体２に配設された図示しないコンプレッサとも接続されている。
【００２１】
前記内視鏡１０が前記洗滌消毒槽２０に収納配置された際、２つの送気送水／吸引用ポート２９ａには、内視鏡１０の内部に配設された図示しない送気送水チャンネルの管路接続口（以下、単に開口と称す）３１、吸引チャンネルの開口３２にチューブのコネクタがそれぞれ接続されるようになっている。  
このような接続により、送気送水／吸引用ポート２９ａは、槽本体２１の循環口２４から図示しないポンプにより槽内の液体を内視鏡１０の管路へ送液するか、または装置本体２の図示しないコンプレッサからエアを内視鏡１０の管路へ送気する。また、送気送水／吸引ポート２９ａは、図示しないポンプ及びコンプレッサによりタンク１１ｂからアルコールを送液する。
【００２２】
一方、副送水／鉗子起上用ポート２９ｂも同様に槽本体２１に設けられた循環口２４と、図示しないポンプ等を介して接続されている。また、副送水／鉗子起上用ポート２９ｂは、装置本体２に配設された図示しないコンプレッサとも接続されている。  
前記副送水／鉗子起上用ポート２９ｂも同様に槽本体２１の循環口２４から図示しないポンプにより槽内の液体を内視鏡１０の管路へ送液するか、または装置本体２の図示しないコンプレッサからエアを内視鏡１０の管路へ送気する。また、副送水／鉗子起上用ポート２９ｂは、図示しないポンプ及びコンプレッサによりタンク１１ｂからアルコールを送液する。
【００２３】
これにより、内視鏡１０の各管路内は、洗滌、消毒、すすぎ、乾燥等がなされる。  
さらに、漏水検知用ポート２９ｃは、装置本体２に配設された図示しない漏水検知ポンプと接続されている。
【００２４】
前記内視鏡１０が前記洗滌消毒槽２０に収納配置された際、漏水検知用ポート２９ｃにも、コネクタ部３４の開口３４ａにチューブのコネクタが接続されるようになっている。この開口３４ａは、内視鏡１０の内部管路と外装部との間に形成される空間に形成されている。
【００２５】
これにより、漏水検知用ポート２９ｃは、内視鏡１０の内部に漏水検知ポンプから自動的にエアを供給することにより、内視鏡１０の内部管路と外表面との間に小さな孔、亀裂等が開いているか否かの検知を行うようになっている。
【００２６】
本実施例では、前記内視鏡１０の有無を検知する内視鏡検知センサと、前記トップカバー３の開閉状態を検知する開閉検知手段としてのリミットセンサを設けている。  
さらに具体的に説明すると、前記槽本体２１の側面２１ｓの所定位置には、前記内視鏡１０が所定位置に収納配置されたことを検知する内視鏡検知センサ４１が設けられている。この内視鏡検知センサ４１は例えば、光を発する発光部４１ａと、この発光部４１ａからの光を受光する受光部４１ｂとの一対の光学センサである。前記内視鏡検知センサ４１は、発光部４１ａから発する光が受光部４１ｂで受光されないときに内視鏡１０が所定位置に配置されていることを検知するようになっている。なお、前記内視鏡検知センサ４１は、前記発光部４１ａが受光部４１ｂを兼ね、発した光が内視鏡１０により反射して受光することにより、内視鏡１０が所定位置に配置されていることを検知するように構成してもよい。
【００２７】
一方、リミットセンサは複数設けられるようになっており、本実施例では２箇所設けている。１つ目のリミットセンサ４２は前記ラッチ部受け部４ｂに配設されており、前記トップカバー３が閉じられて前記ラッチ突部４ａが前記ラッチ受け部４ｂに係止されてラッチ部４がロックされた際に、オンするようになっている。
【００２８】
また、２つ目のリミットセンサ４３は、図４に示すように構成されている。  
図４に示すようにリミットセンサ４３は、前記トップカバー３に配設した磁石４３ａと、この磁石４３ａの磁気を検知する磁気センサ４３ｂとで構成されている。
【００２９】
前記リミットセンサ４３は、前記トップカバー３が閉じられた際に、前記磁石４３ａの磁気を前記磁気センサ４３ｂが検知することでオンするようになっている。  
これにより、前記内視鏡洗滌消毒装置１は、内視鏡検知センサ４１がオンすることで内視鏡１０が所定位置に配置され、前記リミットセンサ４２，４３がオンすることで前記トップカバー３が閉じられたことを検知することができるようになっている。
【００３０】
次に、内視鏡洗滌消毒装置１の回路構成を説明する。  
図５に示すように内視鏡洗滌消毒装置１は、ＲＳ２３２Ｃ接続口５１及びＬＡＮ（ Local Area Network ）接続口５２を有して外部通信可能であり、前記水位センサ２５、内視鏡検知センサ４１、リミットセンサ４２，４３及びその他のセンサ類５３を設けている。
【００３１】
前記ＲＳ２３２Ｃ接続口５１は、外部装置としてパーソナルコンピュータ（以下、外部ＰＣ）等に接続してこの外部ＰＣとシリアル通信可能となっている。前記ＬＡＮ接続口５２は、院内ネットワーク等に接続して通信可能となっている。  
また、内視鏡洗滌消毒装置１は、前記漏水検知用ポート２９ｃを設けている漏水検知部５４、プリンタ部５５、前記サブ操作パネル１３及びメイン操作パネル１４、超音波を発生する超音波振動子５６、超音波振動子５６を駆動する超音波駆動部５７、電磁弁やポンプ等の各種電磁部品５８とを有し、これらを制御する制御部５９を設けて構成されている。
【００３２】
前記制御部５９は、前記ＲＳ２３２Ｃ接続口５１及びＬＡＮ接続口５２を介して外部と接続する通信インターフェイス（以下、通信Ｉ／Ｆ）６１、前記サブ操作パネル１３及びメイン操作パネル１４と接続するパネルインターフェイス（以下、パネルＩ／Ｆ）６２、前記超音波駆動部５７と接続するＵＳインターフェイス（以下、ＵＳ  Ｉ／Ｆ）６３を有している。なお、前記サブ操作パネル１３及びメイン操作パネル１４には、後述するようにスイッチ類等の操作部６４及びＬＣＤ（ Liquid Crystal Display）等の表示部６５が設けられている。
【００３３】
また、前記制御部５９は、前記各種電磁部品５８を駆動するドライブ回路６６、前記水位センサ２５等からの信号を処理するセンサ回路６７、前記ドライブ回路６６及び前記センサ回路６７と接続するＩ／Ｏ回路６８を有している。  
前記制御部５９は、前記通信Ｉ／Ｆ６１、パネルＩ／Ｆ６２、ＵＳ  Ｉ／Ｆ６３、Ｉ／Ｏ回路６８を介して各部を制御する制御手段としてのＣＰＵ６９を備えている。即ち、このＣＰＵ６９は、内視鏡洗滌消毒装置１の全構成部を制御するようになっている。なお、前記ＣＰＵ６９と前記Ｉ／Ｏ回路６８とは、バス７１によって接続されている。
【００３４】
前記ＣＰＵ６９は、クロック７２、メモリ７３及びリセット回路７４に接続されている。前記クロック７２は、後述の洗滌消毒工程を時間的に制御するための時間情報を前記ＣＰＵ６９へ出力するようになっている。
【００３５】
前記メモリ７３は電源をオフしてもそのデータを保持する不揮発性に構成されており、洗滌消毒工程に対する設定内容や実行時の洗滌消毒履歴情報、内視鏡情報や使用者情報、患者情報、あるいは洗剤液等の消耗品の有効期限及び使用回数等のメンテナンス情報、課金情報、エラーサポート情報等が格納されるようになっている。前記リセット回路７４は、図示しない電源から供給される電圧を監視し、電圧が規定値を外れた場合にＣＰＵ６９をリセットするようになっている。
【００３６】
次に、前記サブ操作パネル１３及びメイン操作パネル１４の詳細構成を説明する。  
図６に示すように前記サブ操作パネル１３は、洗滌時間、消毒時間、消毒液の濃度または量等の詳細設定や洗滌消毒工程を選択設定するための設定部７５ａと、各種操作を行うためのスイッチ類を配設した操作部６４ａとを有している。
【００３７】
前記設定部７５ａは、例えばプログラムナンバー、洗滌時間、消毒時間、消毒液の濃度または量を表示する表示部６５ａと、この表示部６５ａに表示されるデータをアップダウンさせるアップダウン釦７６及びこの設定したデータをセット（確定）するセット釦７７を有している。  
前記操作部６４ａは、例えば送気スイッチ、消毒液加温スイッチ、給水管路消毒スイッチ、消毒液排出スイッチ、消毒液調合スイッチ等のスイッチ類を配設している。
【００３８】
一方、図７に示すように前記メイン操作パネル１４は、前記サブ操作パネル１３の操作により詳細設定された洗滌消毒工程を選択設定するための設定部７５ｂと、前記設定部７５ｂの設定により選択された洗滌消毒工程を開始停止するためのメイン操作部６４ｂと、洗滌消毒工程とは異なる工程を実行するためのサブ操作部６４ｃとを有している。
【００３９】
前記設定部７５ｂは、例えばコード／時間やプログラム選択、実行されている工程等を表示する表示部６５ｂと、プログラム選択釦７８とを有している。なお、前記表示部６５ｂは、後述するように内視鏡１０が洗滌消毒槽２０の所定位置に配置されていないとき、エラーコードを表示して使用者に告知するようになっている。即ち、前記表示部６５ｂは、告知手段を構成している。なお、告知手段としては、図示しないスピーカを設けてこのスピーカにより音声告知するように構成してもよい。  
前記サブ操作部６４ｃは、例えば漏水検知やアルコールフラッシュ等の工程を実行するためのスイッチ類を有している。前記メイン操作部６４ｂは、洗滌消毒工程を開始停止するためのスイッチ類を有している。
【００４０】
本実施例では、前記内視鏡１０が収納配置されて前記トップカバー３が閉じられた際に洗滌消毒工程を開始する自動洗滌消毒工程を有効化するように構成されている。  
即ち、前記サブ操作パネル１３には、前記内視鏡検知センサ４１及び前記リミットセンサ４２，４３の動作を有効化するための有効化手段としてオートスタートスイッチ７９が設けられている。
【００４１】
つまり、予め、このオートスタートスイッチ７９が押下操作されてオンすることにより、前記内視鏡検知センサ４１及び前記リミットセンサ４２，４３が動作し、内視鏡１０が所定位置に配置されてトップカバー３が閉じられたことを検知すると自動洗滌消毒工程が開始されるようになっている。なお、前記メイン操作パネル１４のメイン操作部６４ｂには、前記オートスタートスイッチ７９が押下操作されていないときにマニュアルで洗滌消毒工程を実行するためのマニュアルスタートスイッチ８０が配置されている。  
前記自動洗滌消毒工程は、前記制御部５９の前記ＣＰＵ６９の制御により実行されるようになっている。
【００４２】
先ず、内視鏡洗滌消毒装置１は、予め洗滌消毒工程が選択設定されており、オートスタートスイッチ７９が押下されたオートスタート状態となっているとする。  
使用者は、先ずペダルスイッチ１６を踏み込みラッチ部４のロックを解除してトップカバー３を開き、使用済みの内視鏡１０を洗滌消毒槽２０の所定位置に収納配置する。
【００４３】
使用者は、装置本体２の送気送水／吸引用ポート２９ａ、副送水／鉗子起上用ポート２９ｂ、漏水検知用ポート２９ｃのそれぞれにチューブを接続して、この接続したチューブの他端を前記内視鏡１０の送気送水チャンネルの開口３１，吸引チャンネルの開口３２、または図示しない副送水／鉗子起上用チャンネルの開口に接続する。  
このとき、内視鏡洗滌消毒装置１は、内視鏡１０が所定位置に収納配置されていることを内視鏡検知センサ４１が検知し、この検知信号を前記ＣＰＵ６９に出力する。
【００４４】
次に、使用者がトップカバー３を閉じることにより、内視鏡洗滌消毒装置１は、例えば図８に示すフローチャートに従い制御を開始する。  
図８に示すように前記ＣＰＵ６９は、前記リミットセンサ４２，４３からの検知結果に基づき、トップカバー３が閉じられているか否かを判断する（ステップＳ１）。
【００４５】
トップカバー３が閉じられていない場合、ＣＰＵ６９はＳ１に戻る。トップカバー３が閉じられている場合、ＣＰＵ６９は前記内視鏡検知センサ４１からの検知結果に基づき、前記内視鏡１０が所定位置に配置されているか否かを判断する（ステップＳ２）。  
内視鏡１０が所定位置に配置されていない場合、ＣＰＵ６９は例えば前記メイン操作パネル１４の表示部６５ｂにエラーコードを表示させ、内視鏡１０が所定位置に配置されていない旨の表示を行うか、または、図示しないスピーカにより音声を発して使用者に警告告知する（ステップＳ３）。
【００４６】
内視鏡１０が所定位置に配置されている場合、ＣＰＵ６９はオートスタートスイッチ７９が有効に設定されているかどうかを判断する（ステップＳ４）。  
オートスタートスイッチ７９が有効になっていない場合、ＣＰＵ６９は前記メイン操作パネル１４のマニュアルスタートスイッチ８０が押下操作されるか否かを監視する（ステップＳ５）。マニュアルスタートスイッチ８０が押下操作されると、ＣＰＵ６９は、選択された洗滌消毒工程をスタートさせる（ステップＳ６）。オートスタートスイッチ７９が有効になっている場合、ＣＰＵ６９は選択された洗滌消毒工程をスタートさせる（ステップＳ６）。
【００４７】
これにより、内視鏡洗滌消毒装置１は、洗滌消毒の度毎に一々スイッチ類を操作することなく、内視鏡１０を収納配置してトップカバー３を閉じるだけで、自動的に洗滌消毒工程を行うことができる。また、希望により従来の手順に戻すことができる。  
したがって、本実施例によれば、操作する手順を省略して煩雑さをなくし、操作性を良好として内視鏡１０を洗滌消毒することができる。
【００４８】
なお、洗滌消毒工程は、例えば図９に示すフローチャートに従い前記ＣＰＵ６９の制御により実行される。なお、この洗滌消毒工程は、前記クロック７２からの時間情報に基づいて制御されるようになっている。  
図９に示すようにＣＰＵ６９は、先ず洗滌ステップを実行する。
【００４９】
ＣＰＵ６９は、前記ドライブ回路６６を制御して電磁弁やポンプ等の各種電磁部品５８を制御駆動し前記給水ホース接続口１５から供給される水道水を前記洗滌消毒槽２０に給水するとともに、前記タンク１１ａから洗剤液を給水する（ステップＳ１０）。なお、以降、給水排水等は、前記ドライブ回路６６の制御により各種電磁部品５８を制御駆動することにより行われるので、上記動作の説明を省略し給水排水等のみ記述する。
【００５０】
給水が完了したら、ＣＰＵ６９は、前記超音波駆動回路を制御して前記超音波振動子５６を駆動し、超音波洗滌を行う（ステップＳ１１）。この超音波洗滌が完了したら、ＣＰＵ６９は洗滌消毒槽２０から洗滌混合液を排水する（ステップＳ１２）。これらＳ１０〜Ｓ１２までが洗滌ステップである。  
次に、ＣＰＵ６９は、洗滌液のすすぎステップを実行する。ＣＰＵ６９は、前記給水ホース接続口１５から供給される水道水を前記洗滌消毒槽２０に給水する（ステップＳ１３）。給水が完了したら、ＣＰＵ６９は洗滌消毒槽２０からすすぎ液を排水する（ステップＳ１４）。排水が完了したら、ＣＰＵ６９はエアを送気する（ステップＳ１５）。これらＳ１３〜Ｓ１５までが洗滌液のすすぎステップである。
【００５１】
次に、ＣＰＵ６９は、消毒ステップを実行する。ＣＰＵ６９は、前記消毒液ボトル１２ａから図示しない消毒液貯留タンクに消毒液を注入する（ステップＳ１６）とともに、この消毒液貯留タンクに給水ホース接続口１５からの水道水を供給して消毒混合液を生成する。なお、予め消毒液貯留タンクに消毒混合液が貯留されていれば、このＳ１６は省略される。
【００５２】
次に、ＣＰＵ６９は、消毒混合液を所定温度に加温する（ステップＳ１７）。消毒混合液が所定温度に達したら、ＣＰＵ６９は、消毒液貯留タンクからの消毒混合液を洗滌消毒槽２０に供給して内視鏡１０を所定時間浸漬する（ステップＳ１８）。所定時間浸漬したら、ＣＰＵ６９は、洗滌消毒槽２０から消毒混合液を消毒液貯留タンクへ回収する（ステップＳ１９）。これらＳ１６〜Ｓ１９までが消毒ステップである。
【００５３】
次に、ＣＰＵ６９は、消毒液のすすぎステップを実行する。ＣＰＵ６９は、前記給水ホース接続口１５から供給される水道水を前記洗滌消毒槽２０に給水し（ステップＳ２０）、洗滌消毒槽２０からすすぎ液を排水する（ステップＳ２１）して消毒液のすすぎステップを行う。ＣＰＵ６９は、この消毒液のすすぎステップをさらに２回実行する。
【００５４】
消毒液のすすぎステップが３回完了したら、ＣＰＵ６９は、送気ステップを実行する。ＣＰＵ６９はエアを送気し（ステップＳ２３）、内視鏡１０に残留している水分を除去する。以上で、洗滌消毒工程が終了する。  
なお、アルコールフラッシュ工程として、使用者は前記メイン操作パネル１４の図示しないアルコールフラッシュスイッチを押下操作してアルコールを内視鏡１０の管路内に送気してこの管路内の残留水分の除去を行う。
【００５５】
これにより、内視鏡洗滌消毒装置１は、前記内視鏡１０に対する洗滌消毒が完了する。  
なお、上記洗滌消毒工程中、ＣＰＵ６９は、各種センサ類例えば、水位センサ２５や図示しない温度センサ等の検知結果に基づき、給水排水等の制御を行っている。
【００５６】
例えば、図１０に示すようにカバーを取り外した水位センサ２５は、下からグランド電極２５ａ、下水位電極２５ｂ、中水位電極２５ｃ、オーバーフロー電極２５ｄを有している。これら電極以外は、樹脂により形成されている。  
前記下水位電極は洗滌時の水位を検知し、前記中水位電極は消毒時の水位を検知し、前記オーバーフロー電極はオーバーフロー水位を検知するようになっている。この水位検知は、グランド電極と各電極とが液体に浸るとその分抵抗となりこれら電極間に電流が流れることによる電圧変化を検知して、各電極位置に液体が達したことを検知するようになっている。  
前記洗滌消毒槽２０に供給される液体は、洗滌液、消毒液、すすぎ液など複数あり、それぞれ導電率や特性（粘性や発泡性）が大きく異なる。一般的に洗滌液、消毒液は導電率が高いが、すすぎ液は導電率が低い。また、水道水であっても、濾過等によって不純物を処理して得た純水と、処理していない水とでは、導電率や特性が異なってしまう。例えば、水位センサ２５は信号レベルが０〜５Ｖであるとすると、消毒液を検知するセンサ出力が０．２〜０．５Ｖであり、水道水は３〜４Ｖである。
【００５７】
そのため、すすぎ液に合わせてセンサの感度を高く設定すると、洗滌液、消毒液を検知する際に泡や汚れの付着、粘性の高い液体のへばりつきにより誤検知することがあり、逆に洗滌液、消毒液に感度を合わせると、すすぎ液を検知することが困難となる。
【００５８】
上記洗滌消毒工程における水位センサ２５の出力値は、例えば図１１のグラフに示すようになっている。なお、図１１のグラフは、洗滌ステップ終了後の洗滌液のすすぎステップから消毒ステップまでを示している。
【００５９】
図１１に示すように洗滌液のすすぎステップにおいて、水道水を洗滌消毒槽２０に供給する際には、水道水は導電率が低いため、出力差が少ない。洗滌液のすすぎ液を排出する際には、水道水は粘性及び発泡性が低いため、水位がセンサ未満になるとセンサ出力は瞬時に復帰する。
【００６０】
次の消毒ステップにおいて、消毒液を洗滌消毒槽２０に供給して消毒を実行し、消毒液を排出すると、消毒液は粘性及び発泡性が高いため、水位がセンサ未満になっても前記電極に消毒液がへばりつき、センサ出力は復帰しづらくなる。
【００６１】
このため、次の消毒液のすすぎステップを行うために、水道水を洗滌消毒槽２０に供給してもセンサ出力が復帰するのに例えば、３〜５秒程度の時間がかかってしまうことになる。そこで、本実施例では、液体の種類に応じて水位センサ２５の感度（基準電圧値）を変更可能に構成している。
【００６２】
図１２に示すようにセンサ回路６７は、波形発生器６７ａと増幅器６７ｂと平滑＆比較器６７ｃとを有して構成されている。  
前記波形発生器６７ａは、波形信号を発生し、前記増幅器６７ｂに出力するようになっている。前記増幅器６７ｂは、前記波形発生器６７ａからの波形信号に前記水位センサ２５からのセンサ信号を重畳して増幅し、前記平滑＆比較器６７ｃに出力するようになっている。
【００６３】
前記平滑＆比較器６７ｃは、前記増幅器６７ｂからの信号を平滑化するとともに、この信号と前記ＣＰＵ６９から入力された基準電圧信号とを比較してこの比較結果を前記ＣＰＵ６９に出力するようになっている。  
前記ＣＰＵ６９は、上記洗滌消毒工程の動作状態を認識しつつ、前記平滑＆比較器６７ｃからの比較結果に基づき、基準電圧信号とセンサ出力信号とに差がある場合、前記平滑＆比較器６７ｃへ出力する基準電圧信号を水質に応じて調整するようになっている。即ち、前記ＣＰＵ６９は、上記動作を給水排出等の度毎に実行してそれぞれの水質に応じた水位検知を行うようになっている。
【００６４】
この制御は、例えば図１３に示すフローチャートに従い実行される。  
図１３に示すように前記ＣＰＵ６９は、洗滌消毒工程中の動作状態（図９及び図１１参照）を認識する（ステップＳ３１）。
【００６５】
ＣＰＵ６９は、洗滌消毒工程の動作状態に応じて基準電圧信号を前記平滑＆比較器６７ｃに出力する（ステップＳ３２）。平滑＆比較器６７ｃは、ＣＰＵ６９から出力された基準電圧信号と、センサ出力信号とを比較してこの比較結果をＣＰＵ６９へ出力する。  
ＣＰＵ６９は平滑＆比較器６７ｃから基準電圧信号とセンサ出力信号との比較結果を入力され（ステップＳ３３）、この比較結果に基づき、基準電圧信号とセンサ出力信号とに差があるか否かを判断する（ステップＳ３４）。
【００６６】
基準電圧信号とセンサ出力信号とに差がある場合、ＣＰＵ６９は、水質に応じた基準電圧信号となるよう基準電圧信号を調整し（ステップＳ３５）、差がなくなるまで上記Ｓ３２からＳ３５まで繰り返す。基準電圧信号とセンサ出力信号とに差がない場合、ＣＰＵ６９は、センサ出力により水位を確認し（ステップＳ３６）、上記洗滌消毒工程を進める。  
これにより、本実施例では、洗滌消毒工程中、それぞれの水質に合った検知を行うことができ、確実に水位を検知できる。
【００６７】
上記洗滌消毒工程の終了後、または一日の終わり又は任意の日時に、使用者は、洗滌消毒結果を印字出力する場合がある。本実施例では、簡易に所望の情報を印字出力可能に構成している。  
即ち、図５に示したＣＰＵ６９は、前記操作部６４から入力される操作情報に基づき、前記メモリ７３に記憶された情報を抽出して前記プリンタ部５５に印字出力するように構成されている。
【００６８】
この印字される情報は、例えば、洗滌消毒工程における設定内容や実行時の洗滌消毒履歴情報、内視鏡情報や使用者情報、患者情報、あるいは消耗品の有効期限及び使用回数等のメンテナンス情報である。洗滌消毒工程における設定内容や実行時の洗滌消毒履歴情報としては、例えば、洗滌消毒工程における各ステップの時間、洗剤有無情報、漏水検知結果、装置通算回数等である。また、消耗品としては、例えば洗剤液や消毒液、アルコール等の薬剤、洗滌ブラシ、エアフィルタ等である。
【００６９】
この印字例は、例えば図１４に示すように日時、洗滌消毒履歴情報である洗滌時間、消毒時間、洗滌液または消毒液の温度、洗剤名、消毒液名、内視鏡情報としてスコープＩＤ、患者情報として患者名、症例名、検査者、使用者情報として装置使用者名、使用者ＩＤが印字されるようになっている。
【００７０】
また、この図１４に示す印字例では、使用者がチェックするためのチェック欄を設けており、予備洗滌の有無、洗滌チューブの使用有無、給水管路消毒の有無を手書きでチェック可能としている。なお、上記スコープＩＤや使用者Ｉ／Ｄまたは操作情報の入力を行うために、操作部６４を図１５に示すように文字入力キーを兼ねたテンキー構成としてもよい。これにより、内視鏡、消耗品のメンテナンス性の向上、洗滌消毒の情報管理の容易化を実現できる。
【００７１】
なお、洗滌消毒工程中、エラーが発生した場合、前記ＣＰＵ６９は、エラーサポート情報を自動的に印字するように前記プリンタ部５５を制御してもよい。  
図１６に示すようにエラーサポート情報としては、日時の他にエラーＮｏ．、エラー内容、エラーの対処方法、サポートセンターへの連絡先が記載されている。  
これにより、エラー情報提供によるユーザサポート性を向上でき、使用者が容易にエラーに対する対策を取ることが可能となる。なお、上記サポート情報は、後述する外部ＰＣの表示画面に表示するようにしてもよい。
【００７２】
また、内視鏡洗滌消毒装置１は、図１７に示すように前記ＲＳ２３２Ｃ接続口５１にＲＳ２３２Ｃケーブル５１ａを接続して外部ＰＣ８１と通信し、前記メモリ７３に記録されている情報を閲覧可能としてもよい。この場合、例えば、図１８に示すように外部ＰＣ８１の表示画面には、履歴一覧のデータが表示されるようになっている。
【００７３】
この図１８に示す表示画面は、使用者が図示しないマウスやキーボードの操作により所望のデータを選択して表示切替釦８１ａを押下操作することで、図１９に示すようにより詳細なデータが表示画面に表示されるようになっている。  
なお、図１９に示す表示画面は、新規にスコープ名、スコープＩＤ、患者名、検査者名、装置使用者名等の情報を入力してもよいし、または予め前記操作部６４により入力し前記メモリ７３に記録していたデータの中から選択するようにしてもよい。
【００７４】
また、図１９に示す表示画面は、印刷釦８１ｂを押下操作することにより、上記図１４に示した印字出力を得ることを可能としている。なお、図１９に示す表示画面は、表示切替釦８１ａを押下操作することで図１８に示した表示画面に戻るようになっている。  
これにより、外部ＰＣ８１を用いることによる操作性、視覚性の向上を期待できる。
【００７５】
また、内視鏡洗滌消毒装置１は、図２０に示すように前記ＬＡＮ接続口５２にＬＡＮケーブル５２ａを接続して院内ネットワーク８２を介し、外部データベースとして院内サーバ８３と通信可能に構成してもよい。符号８４は、前記院内ネットワーク８２に接続された端末である。
【００７６】
内視鏡洗滌消毒装置１は、院内サーバ８３と情報の送受信ができ、この院内サーバ８３に洗滌消毒結果の履歴情報を逐次保存したり、この院内サーバ８３から任意に情報を取り出すことができる。これにより、外部データベース利用による情報量の増加を実現できる。
【００７７】
なお、内視鏡洗滌消毒装置１は、前記ＬＡＮケーブル５２ａを介して例えば、前記院内サーバ８３からインターネットに接続できるように構成してもよい。この場合、内視鏡洗滌消毒装置１は、インターネットを介してメーカに接続し、消毒液の使用回数に基づく情報を表示可能に構成している。
【００７８】
本実施例では、消毒液の使用回数に応じて課金するシステムを構築する際、使用回数を表示することによりユーザに課金金額を容易に認識させるようにしている。  
図２１及び図２２に示すように内視鏡洗滌消毒装置１は、前記消毒液ボトル１２ａを収納する前記カセットトレー１２の収納室１２ｂ上部に消毒液検知センサ８５が取り付けられている。なお、符号８６は消毒液ボトル１２ａからの消毒液を消毒液貯留タンク８７に導入するための消毒液注入口である。
【００７９】
前記消毒液検知センサ８５には、検知羽８５ａが延出されている。前記収納室１２ｂ内に前記カセットトレー１２が収納された際に、前記検知羽８５ａは、前記消毒液ボトル１２ａにより押されて回転し、スイッチをオンするようになっている。  
前記消毒液検知センサ８５のオン信号は、図５に示した前記センサ回路６７から前記Ｉ／Ｏ回路６８を介して前記ＣＰＵ６９に送信されるようになっている。
【００８０】
前記ＣＰＵ６９は、前記消毒液検知センサ８５のオン信号を受信して装置導入時からの使用回数または前回課金時からの使用回数としてカウントし、このカウントした使用回数の情報を前記メモリ７３内に書き込み、更新するようになっている。なお、この使用回数の情報は前記ＣＰＵ６９によりリセット可能であり、このＣＰＵ６９の命令により前回課金時までの使用回数の情報をリセットして前回課金時からの使用回数をカウントできる。また、前記ＣＰＵ６９は、上記使用回数の情報に基づき、装置導入時からの総課金金額、または、今回の課金金額を算出するようになっている。  
図２３に示すように前記メモリ７３には、上記使用回数の情報の他に上記装置導入時からの総課金金額、今回の課金金額を算出する際の計算式及び設定値等の同一の課金情報が複数箇所’（図２３中、２箇所）に記録されるようになっている。
【００８１】
前記ＣＰＵ６９は、前記メモリ７３内の複数箇所に記憶された同一の課金情報を読み出して比較し、これら情報が合致しない場合、エラー告知するようになっている。  
この制御は、例えば図２４に示すフローチャートに従い実行される。
【００８２】
図２４に示すようにＣＰＵ６９は、アドレス１からデータを読み込む（ステップＳ４１）。続いてＣＰＵ６９は、アドレス２からデータを読み込む（ステップＳ４２）。次に、ＣＰＵ６９は読み込んだアドレス１からのデータとアドレス２からのデータとを比較し（ステップＳ４３）、比較結果が同一か否かを判断する（ステップＳ４４）。
【００８３】
比較結果が同一であれば、ＣＰＵ６９は、そのデータ内容を表示する（ステップＳ４５）。比較結果が異なっていれば、ＣＰＵ６９は、エラー表示を行う（ステップＳ４６）。これにより、内視鏡洗滌消毒装置１は、課金情報の正確性を保障することが可能である。
【００８４】
前記メモリ７３に記録された課金情報は、前記サブ操作パネル１３及びメイン操作パネル１４の表示部６５ｂまたは前記院内ネットワーク８２を介して端末８４の表示画面、あるいは図１７に示した外部ＰＣ８１の表示画面に表示して使用者に閲覧させることができる。
【００８５】
また、前記メモリ７３に記録された課金情報は、前記インターネットを介してメーカに送信可能であり、また数式及び設定値をメーカから修正可能である。  
これにより、メーカは、現場に行くことなく課金金額を取得でき、回数データの確認、計算式の改定、料金明細の発行等が行える。従って、本実施例によれば、分かりやすく課金量を確認でき、課金システムへの移行をスムーズに行うことができる。
【実施例２】
【００８６】
図２５ないし図２８は本発明の実施例２に係り、図２５は実施例２の内視鏡洗滌消毒装置の斜視図、図２６は図２５の内視鏡洗滌消毒装置の回路構成を示すブロック図、図２７は図２５のメイン操作パネルの構成例、図２８は図２６のＣＰＵの制御を示すフローチャートである。
【００８７】
上記実施例１は内視鏡情報としてスコープＩＤ、使用者情報として使用者ＩＤを操作部より入力するように構成しているが、実施例２はＲＦＩＤ（ Radio Frequency IDentification ）によりＩＤを入力するように構成する。 それ以外の構成は上記実施例１と同様であるので説明を省略し、同一構成には同じ符号を付して説明する。
【００８８】
図２５及び図２６に示すように内視鏡洗滌消毒装置１Ｂは、装置本体２の上面の左側に無線ＩＤ送受信部９１を設けており、内視鏡１０に取り付けているスコープＩＤタグ９２及び使用者が身に着けている使用者ＩＤタグ９３を読み込むように構成されている。  
前記内視鏡洗滌消毒装置１ＢのＣＰＵ６９Ｂは、無線ＩＤ送受信部９１から取得したスコープＩＤ情報及び使用者ＩＤ情報の入力に基づき、上記実施例１で説明した自動洗滌消毒工程を実行するようになっている。
【００８９】
即ち、前記ＣＰＵ６９Ｂは、前記オートスタートスイッチ７９のオン信号により自動洗滌消毒工程が有効に設定されている場合、ＩＤ入力が行われないと、自動洗滌消毒工程を実行しないようになっている。  
なお、図２７に示すようにメイン操作パネル１４Ｂには、例えばＬＥＤ（ Light Emitting Diode ）により形成されたスコープＩＤ表示部９４ａ及び使用者ＩＤ表示部９４ｂが配設されており、前記スコープＩＤタグ９２及び使用者ＩＤタグ９３からＩＤ情報を読み込んだことを告知するようになっている。
【００９０】
先ず、内視鏡洗滌消毒装置１Ｂは、予め洗滌消毒工程が選択設定されており、オートスタートスイッチ７９が押下されたオートスタート状態となっているとする。  
使用者は、先ずペダルスイッチ１６を踏み込みラッチ部４のロックを解除してトップカバー３を開き、使用済みの内視鏡１０を洗滌消毒槽２０の所定位置に収納配置する。
【００９１】
使用者は、装置本体２の送気送水／吸引用ポート２９ａ、副送水／鉗子起上用ポート２９ｂ、漏水検知用ポート２９ｃのそれぞれにチューブを接続して、この接続したチューブの他端を前記内視鏡１０の送気送水チャンネルの開口３１，吸引チャンネルの開口３２、または図示しない副送水／鉗子起上用チャンネルの開口３３に接続する。
【００９２】
このとき、内視鏡洗滌消毒装置１Ｂは、内視鏡１０のスコープＩＤタグ９２及び使用者が身に着けている使用者ＩＤタグ９３から無線通信により無線ＩＤ送受信部９１がＩＤ情報を受信し、この受信したＩＤ情報を前記ＣＰＵ６９Ｂに出力する。  
前記ＣＰＵ６９Ｂは、受信したＩＤ情報に基づき、前記スコープＩＤ表示部９４ａ及び使用者ＩＤ表示部９４ｂのＬＥＤを点灯させる。
【００９３】
次に、使用者がトップカバー３を閉じることにより、内視鏡洗滌消毒装置１Ｂは、例えば図２８に示すフローチャートに従い制御を開始する。  
図２８に示すように前記ＣＰＵ６９Ｂは、前記無線ＩＤ送受信部９１からＩＤ情報の入力が有るか否かを判断する（ステップＳ５１）。
【００９４】
無線ＩＤ送受信部９１からＩＤ情報の入力が無い場合、前記ＣＰＵ６９Ｂは、例えば前記メイン操作パネル１４Ｂの表示部６５ｂにエラーコードを表示させ、ＩＤ入力がない旨の表示を行うか、または、図示しないスピーカにより音声を発して使用者に警告告知する（ステップＳ５２）。
【００９５】
無線ＩＤ送受信部９１からＩＤ情報の入力が有る場合、前記ＣＰＵ６９Ｂは、次のステップに進む。以降、ＣＰＵ６９Ｂは、上記実施例１の図８で説明したのと同様にＳ１〜Ｓ６まで実行し、図９で説明したのと同様に洗滌消毒工程を実行する。  
これにより、内視鏡洗滌消毒装置１Ｂは、内視鏡１０を収納配置する動作のみで、スコープＩＤ及び使用者ＩＤの情報を使用者が意識的に入力することなく、自動的に行えるので、操作する手順を省略して煩雑さをなくし、操作性を良好として内視鏡１０を洗滌消毒することができる。  
なお、上述した各実施例等を部分的に組み合わせる等して構成される実施例等も本発明に属する。
【００９６】
［付記］
以上詳述した本発明の実施形態によれば、以下のごとき構成を得ることができる。
【００９７】
（付記項１）  
内視鏡を収納配置する槽部と、
前記槽部に対して開閉可能に設け、前記槽部を覆う蓋部と、
前記蓋部の開閉を検知する開閉検知手段と、
前記槽部の所定位置に前記内視鏡が収納配置されたことを検知する内視鏡検知手段と、
前記開閉検知手段及び前記内視鏡検知手段の動作を有効化する有効化手段と、
を備え、前記有効化手段によって動作する前記開閉検知手段及び前記内視鏡検知手段の検知結果に基づき、前記内視鏡が前記槽部の所定位置に収納配置されて前記蓋部が閉じられたとき、洗滌消毒を開始することを特徴とする内視鏡洗滌消毒装置。
【００９８】
（付記項２）  
前記内視鏡検知手段の検知結果に基づき、前記内視鏡が前記槽部の所定位置に収納配置されていないときその旨を告知する告知手段を設けたことを特徴とする付記項１に記載の内視鏡洗滌消毒装置。
【００９９】
（付記項３）  
前記内視鏡のＩＤ情報及び使用者のＩＤ情報を読み込むＩＤ情報読み込み手段を有し、
前記有効化手段は、前記ＩＤ情報読み込み手段の動作を有効化とし、
前記制御手段は、前記有効化手段によって動作する前記ＩＤ情報読み込み手段からのＩＤ入力及び前記開閉検知手段及び前記内視鏡検知手段の検知結果に基づき、前記ＩＤ情報読み込み手段により前記内視鏡のＩＤ情報及び使用者のＩＤ情報が読み込まれ、前記内視鏡が前記槽部の所定位置に収納配置されて前記蓋部が閉じられたとき、洗滌消毒工程を開始する
ことを特徴とする付記項１に記載の内視鏡洗滌消毒装置。
【０１００】
（付記項４）  
内視鏡を収納配置する槽部と、
前記槽部に対して開閉可能に設け、前記槽部を覆う蓋部と、
前記蓋部の開閉を検知する開閉検知手段と、
前記槽部の所定位置に前記内視鏡が収納配置されたことを検知する内視鏡検知手段と、
前記槽部の所定位置に配置された内視鏡に対して洗滌液または消毒液を供給する供給手段と、
前記開閉検知手段及び前記内視鏡検知手段の動作を有効化する有効化手段と、
を備え、前記有効化手段によって動作する前記開閉検知手段及び前記内視鏡検知手段の検知結果に基づき、前記内視鏡が前記槽部の所定位置に収納配置されて前記蓋部が閉じられたとき、前記供給手段を制御して洗滌消毒を開始するたことを特徴とする内視鏡洗滌消毒装置。
【０１０１】
（付記項５）  
内視鏡を配置可能な空間を形成する槽部と、
前記槽部に配置した内視鏡に対して洗滌液または消毒液を供給するための供給手段と、
前記槽部に対して開閉可能に設け、前記供給手段によって洗滌消毒される前記内視鏡が配置される前記槽部を覆う蓋部と、
前記蓋部が閉じたことを検知する検知手段と、
前記検知手段が動作する状態に設定する動作設定手段と、
前記動作設定手段の設定手段によって動作する前記検知手段の検知に応じて前記供給手段を始動させる指示手段と、
を具備することを特徴とする内視鏡洗滌消毒装置。
【０１０２】
（付記項６）  
内視鏡を配置可能な空間を形成する槽部と、
前記槽部に配置した内視鏡に対して洗滌液または消毒液を供給するための供給手段と、
前記槽部に対して開閉可能に設け、前記供給手段によって洗滌消毒される前記内視鏡が配置された前記槽部を覆う蓋部と、
前記蓋部が閉じたことを検知する検知手段と、
前記検知手段が動作する状態に設定する動作設定手段と、
前記動作設定手段の設定によって動作状態に設定された前記検知手段の検知に応じて前記供給手段を始動させる指示手段と、
前記動作設定手段の設定状態を確認するために、前記設定を告知する告知手段と、
を具備することを特徴とする内視鏡洗滌消毒装置。
【０１０３】
（付記項７）  
内視鏡を収納配置する槽部と、
前記槽部に供給される液体の水位を検知する水位検知手段と、
洗滌消毒工程のステップに応じ、前記槽部に供給する液体の種類に基づいて前記水位検知手段の閾値を調整する調整手段と、
を具備したことを特徴とする内視鏡洗滌消毒装置。
【０１０４】
（付記項８）  
内視鏡を収納配置する槽部と、
前記内視鏡を消毒するための消毒液を保持するタンクと、
前記タンク内の消毒液を前記槽部に供給して内視鏡を消毒した後、前記槽部から前記タンク内へ消毒液を回収する供給回収手段と、
記録内容を保持する不揮発性メモリと、
前記供給回収手段を制御する制御手段と、
を具備し、前記制御手段は、前記供給回収手段を動作させ、前記槽部に消毒液を供給して前記内視鏡を消毒させた使用回数の情報を前記不揮発性メモリに記録して更新することを特徴とする内視鏡洗滌消毒装置。
【０１０５】
（付記項９）  
内視鏡を収納配置する槽部と、
前記槽部に収納配置された前記内視鏡の洗滌消毒を実行する制御手段と、
前記制御手段により実行された前記内視鏡の洗滌消毒に関する情報とを記録するメモリと、
を具備し、前記制御手段は、入力部から入力される条件に基づき、前記メモリから抽出した情報を印字させることを特徴とする内視鏡洗滌消毒装置。
【産業上の利用可能性】
【０１０６】
本発明の内視鏡洗滌消毒装置は、操作する手順を省略して煩雑さをなくし、操作性を良好としたことにより、使用済みの内視鏡の処理に適している。
【図面の簡単な説明】
【０１０７】
【図１】実施例１の内視鏡洗滌消毒装置の斜視図である。
【図２】図１のトップカバーが開けられ、洗滌消毒槽に内視鏡が収納自在な状態である内視鏡洗滌消毒装置の斜視図である。
【図３】図２の状態から内視鏡を洗滌消毒槽の所定位置に収納配置した際の装置本体の上面図である。
【図４】２つ目のリミットセンサの構成を示す概略図である。
【図５】内視鏡洗滌消毒装置の回路構成を示すブロック図である。
【図６】図１のサブ操作パネルの構成例である。
【図７】図１のメイン操作パネルの構成例である。
【図８】図５のＣＰＵの制御を示すフローチャートである。
【図９】洗滌消毒工程を示すフローチャートである。
【図１０】カバーを取り外した水位センサの構成を示す斜視図である。
【図１１】洗滌消毒工程における水位センサの出力値を示すグラフである。
【図１２】センサ回路とＣＰＵとＩ／Ｏ回路と水位センサとの接続関係を示すブロック図である。
【図１３】ＣＰＵによる基準電圧信号の調整制御を示すフローチャートである。
【図１４】プリンタ部の第１の印字例である。
【図１５】操作部の構成例である。
【図１６】プリンタ部の第２の印字例である。
【図１７】ＲＳ２３２Ｃケーブルを介して外部ＰＣと接続する内視鏡洗滌消毒装置を示す説明図である。
【図１８】図１７の外部ＰＣの第１の表示画面例である。
【図１９】図１８の表示状態から表示が切り替わった外部ＰＣの第２の表示画面例である。
【図２０】ＬＡＮケーブルを介して院内ネットワークと接続し、院内サーバと通信する内視鏡洗滌消毒装置を示す説明図である。
【図２１】消毒液ボトルを収納するカセットトレーの収納室付近を示す説明図である。
【図２２】図２１の要部拡大図である。
【図２３】メモリの内部構成を示す概略図である。
【図２４】ＣＰＵによる課金情報の読み出し制御を示すフローチャートである。
【図２５】実施例２の内視鏡洗滌消毒装置の斜視図である。
【図２６】図２５の内視鏡洗滌消毒装置の回路構成を示すブロック図である。
【図２７】図２５のメイン操作パネルの構成例である。
【図２８】図２６のＣＰＵの制御を示すフローチャートである。
【符号の説明】
【０１０８】
１  内視鏡洗滌消毒装置
２  装置本体
３  トップカバー
４  ラッチ部
４ｂ  ラッチ受け部
１０  内視鏡
１３  サブ操作パネル
１４  メイン操作パネル
１６  ペダルスイッチ
２０  洗滌消毒槽
４１  内視鏡検知センサ
４２，４３  リミットセンサ
６７  センサ回路
６８  Ｉ／Ｏ回路
６９  ＣＰＵ
７９  オートスタートスイッチ
代理人    弁理士    伊藤  進
【図１】
2006230492.tif 000003
【図２】
2006230492.tif 000004
【図３】
2006230492.tif 000005
【図４】
2006230492.tif 000006
【図５】
2006230492.tif 000007
【図６】
2006230492.tif 000008
【図７】
2006230492.tif 000009
【図８】
2006230492.tif 000010
【図９】
2006230492.tif 000011
【図１０】
2006230492.tif 000012
【図１１】
2006230492.tif 000013
【図１２】
2006230492.tif 000014
【図１３】
2006230492.tif 000015
【図１４】
2006230492.tif 000016
【図１５】
2006230492.tif 000017
【図１６】
2006230492.tif 000018
【図１７】
2006230492.tif 000019
【図１８】
2006230492.tif 000020
【図１９】
2006230492.tif 000021
【図２０】
2006230492.tif 000022
【図２１】
2006230492.tif 000023
【図２２】
2006230492.tif 000024
【図２３】
2006230492.tif 000025
【図２４】
2006230492.tif 000026
【図２５】
2006230492.tif 000027
【図２６】
2006230492.tif 000028
【図２７】
2006230492.tif 000029
【図２８】
2006230492.tif 000030